(57)【要約】      （修正有）【課題】容量の大きな電解コンデンサを使用することなく、入力される交流電圧に対して切替部の設定を誤った場合でも、安全な動作が可能な電源装置を提供する。【解決手段】電源装置は、入力された交流電圧を全波整流または倍電圧整流の何れかの整流方式により整流する整流平滑部と、ブラウン回路１００を備える。ブラウン回路１００は、平滑化された直流電圧Ｖｃｃを抵抗５１、５７を用いて分圧した第１の分圧電圧を出力する。ブラウン回路１００は、直流電圧の電圧値が第１の電圧閾値以上となった場合に、抵抗５１、５７に抵抗８２を追加することで、第１の分圧電圧の電圧値よりも大きい第２の分圧電圧を出力する。直流電圧の電圧値が、第１の電圧閾値よりも大きい第２の電圧閾値以上となった場合に、抵抗８２の追加を解除するとともに、複数の抵抗５１、５７に抵抗５６を追加することで、第２の分圧電圧の電圧値よりも小さい第３の分圧電圧を出力する。【選択図】図２
2019041430.tif 000002
【特許請求の範囲】
【請求項１】
入力された交流電圧を全波整流方式及び倍電圧整流方式の何れかの整流方式により整流して、平滑化することで直流電圧を出力する整流平滑部と、
前記整流方式を切り替える切替部と、
前記直流電圧を複数の抵抗を用いて分圧した第１の分圧電圧を出力する電圧変換部と、
前記直流電圧の電圧値が第１の電圧閾値以上となった場合に、前記複数の抵抗に第１の抵抗を追加することで、前記第１の分圧電圧よりも電圧値の大きい第２の分圧電圧を前記電圧変換部から出力させる変換切替部と、
前記直流電圧の電圧値が前記第１の電圧閾値よりも大きい第２の電圧閾値以上となった場合に、前記変換切替部に前記第１の抵抗の追加を解除させるとともに、前記複数の抵抗に第２の抵抗を追加することで、前記第２の分圧電圧よりも電圧値の小さい第３の分圧電圧を前記電圧変換部から出力させる切替解除部と、
入力電圧として、前記電圧変換部から出力される前記第１の分圧電圧、前記第２の分圧電圧及び前記第３の分圧電圧の入力を受けて、前記入力電圧の電圧値を判定する判定部と、
前記判定部による判定結果に応じて動作する駆動部と、を備えること
を特徴とする電源装置。
【請求項２】
前記変換切替部は、前記直流電圧の電圧値が前記第１の電圧閾値以上となった後に、前記直流電圧の電圧値が前記第２の電圧閾値以上となっていない場合には、前記直流電圧の電圧値が前記第１の電圧閾値未満となっても、前記第２の分圧電圧を前記電圧変換部から出力させること
を特徴とする請求項１に記載の電源装置。
【請求項３】
前記変換切替部は、前記直流電圧の電圧値が前記第２の電圧閾値以上となった後に、前記直流電圧の電圧値が前記第２の電圧閾値未満となった場合には、前記第２の分圧電圧を前記電圧変換部から出力させること
を特徴とする請求項１又は２に記載の電源装置。
【請求項４】
前記交流電圧は、１９８Ｖ以上２６４Ｖ未満であり、
前記第１の電圧閾値は、直流１９８Ｖ以上直流２５５Ｖ以下であること
を特徴とする請求項１から３の何れか一項に記載の電源装置。
【請求項５】
前記第２の電圧閾値は、直流３９６Ｖ以上直流５５９Ｖ未満であること
を特徴とする請求項４に記載の電源装置。
【請求項６】
前記入力電圧が第１の分圧電圧閾値以上と前記判定部が判定した場合に、前記駆動部は動作を行い、
前記入力電圧が前記第１の分圧電圧閾値よりも小さい第２の分圧電圧閾値未満と前記判定部が判定した場合に、前記駆動部は動作を停止すること
を特徴とする請求項１から５の何れか一項に記載の電源装置。
【請求項７】
前記電圧変換部から出力される前記第１の分圧電圧又は前記第２の分圧電圧をクランプするツェナダイオードをさらに備えること
を特徴とする請求項１から６の何れか一項に記載の電源装置。
【請求項８】
前記変換切替部は、ＭＯＳＦＥＴ（Ｍｅｔａｌ−Ｏｘｉｄｅ−Ｓｅｍｉｃｏｎｄｕｃｔｏｒ  Ｆｉｅｌｄ−Ｅｆｆｅｃｔ  Ｔｒａｎｓｉｓｔｏｒ）を備えること
を特徴とする請求項１から７の何れか一項に記載の電源装置。
【発明の詳細な説明】
【技術分野】
【０００１】
本発明は、電源装置に関し、特に、入力された交流電圧を全波整流及び倍電圧整流の何れかの整流方式により整流する電源装置に関する。
【背景技術】
【０００２】
交流電源のＡＣ入力電圧に応じて、切替部としての切替ＳＷ（ＳＷｉｔｃｈ）により全波整流方式と倍電圧整流方式とを切り替えることで、交流電源のＡＣ入力電圧によらず予め定められた直流電圧を出力することのできる電源装置が従来から使用されている。
【０００３】
例えば、特許文献１に記載された電源装置は、使用される交流電源のＡＣ入力電圧に応じて、切替ＳＷ（例えば、コネクタ）により全波整流方式（ＡＣ２００Ｖ設定）と、倍電圧整流方式（ＡＣ１００Ｖ設定）とを切り替えている。更に、この電源装置に搭載されている制御ＩＣ（Ｉｎｔｅｇｒａｔｅｄ  Ｃｉｒｃｕｉｔ）がブラウン機能を有しており、交流電源のＡＣ入力電圧値が抵抗により分圧され、ＡＣ入力電圧値を検出できるようになっている。そして、その制御ＩＣは、検出値が所定値よりも低い場合には、起動前であれば電源装置を起動させない機能（ブラウンイン）を有し、また、起動後であれば電源装置の動作を停止する（ブラウンアウト）機能を有している。
【先行技術文献】
【特許文献】
【０００４】
【特許文献１】特開２０１０−９３８８７号公報
【発明の概要】
【発明が解決しようとする課題】
【０００５】
しかしながら、従来の電源装置において、切替ＳＷを開放状態として全波整流方式（ＡＣ２００Ｖ設定）に切り替えている状態で誤ってＡＣ１００Ｖが入力された場合に電源装置が起動しないようにブラウンイン機能における分圧抵抗の抵抗値が選定されていると、切替ＳＷを短絡状態として倍電圧整流方式（ＡＣ１００Ｖ設定）に切り替えた場合に、ＡＣ瞬断時にブラウンアウト機能が動作しやすくなるため、電源装置の動作が停止し、ＡＣ瞬断の保持時間が短くなるという問題がある。
【０００６】
このような問題に対して、従来の電源装置では、一次側の電解コンデンサとして、静電容量の大きな電解コンデンサを使用する必要がある。
【０００７】
そこで、本発明は、静電容量の大きな電解コンデンサを使用することなく、入力される交流電圧に対して切替部の設定を誤った場合でも、安全な動作が行われるようにすることを目的とする。
【課題を解決するための手段】
【０００８】
本発明の一態様に係る電源装置は、入力された交流電圧を全波整流方式及び倍電圧整流方式の何れかの整流方式により整流して、平滑化することで直流電圧を出力する整流平滑部と、前記整流方式を切り替える切替部と、前記直流電圧を複数の抵抗を用いて分圧した第１の分圧電圧を出力する電圧変換部と、前記直流電圧の電圧値が第１の電圧閾値以上となった場合に、前記複数の抵抗に別の抵抗を追加することで、前記直流電圧を前記複数の抵抗及び前記別の抵抗を用いて分圧した第２の分圧電圧を前記電圧変換部から出力させる変換切替部と、前記直流電圧の電圧値が前記第１の電圧閾値よりも大きい第２の電圧閾値以上となった場合に、前記変換切替部に前記別の抵抗の追加を解除させることで、前記電圧変換部から前記第１の分圧電圧を出力させる切替解除部と、入力電圧として、前記電圧変換部から出力される前記第１の分圧電圧又は前記第２の分圧電圧の入力を受けて、前記入力電圧の電圧値を判定する判定部と、前記判定部による判定結果に応じて動作する駆動部と、を備えることを特徴とする。
【発明の効果】
【０００９】
本発明の一態様によれば、静電容量の大きな電解コンデンサを使用することなく、入力される交流電圧に対して切替ＳＷの設定を誤った場合でも、安全な動作が行われる。
【図面の簡単な説明】
【００１０】
【図１】実施の形態に係る電源装置の構成図である。
【図２】実施の形態におけるブラウン回路の構成図である。
【図３】比較例としてのブラウン回路の構成図である。
【図４】比較例としてのブラウン回路を備える電源装置における動作を示すタイムチャートである。
【図５】比較例としてのブラウン回路を備える電源装置における動作を示すタイムチャートである。
【図６】比較例としてのブラウン回路を備える電源装置における動作を示すタイムチャートである。
【図７】実施の形態におけるブラウン回路を備える電源装置における動作を示すタイムチャートである。
【図８】実施の形態におけるブラウン回路を備える電源装置における動作を示すタイムチャートである。
【発明を実施するための形態】
【００１１】
図１は、本実施の形態に係る電源装置１０の構成図である。
電源装置１０は、交流電源１１のＡＣ電圧を入力し、電位ＶｄｄのＤＣ電圧を得る回路である。例えば、交流電源１１は、１９８Ｖ以上２６４Ｖ未満のＡＣ電圧を入力する。
交流電源１１のライン側ＬＳには、電源装置１０の故障状態時の保護手段であるヒューズ１２が接続されている。また、交流電源１１のライン側ＬＳには、ヒューズ１２の先に、ノイズ低減用のコンデンサ１３と、コンデンサ１３の放電用の抵抗１４と、コモンチョークコイル１５とが接続されている。コンデンサ１３、抵抗１４及びコモンチョークコイル１５は、交流電源１１のニュートラル側ＮＳとも接続されている。
【００１２】
さらに、交流電源１１のライン側ＬＳには、コモンチョークコイル１５の先に、ノイズ低減用のコンデンサ１６及びコンデンサ１７と、電源起動時の突入電流を防止するサーミスタ１８とが接続されている。コンデンサ１６及びコンデンサ１７の片側は、共にフレームグランド（ＦＧ）１９に接続されている。ＦＧ１９は、電源装置１０が使用される筐体を介して交流電源１１のアースに接続されている。
【００１３】
サーミスタ１８は、入力電圧を整流するブリッジダイオード２０の第１の端子２１に接続されている。また、ブリッジダイオード２０の第２の端子２２には、コモンチョークコイル１５のニュートラル側ＮＳにおいて、全波整流方式と倍電圧整流方式とを切り替える切替ＳＷ２５が接続されている。
【００１４】
ブリッジダイオード２０の陽極側端子２３には、平滑用の電解コンデンサ２６の陽極端子と、ブラウン回路１００と、ＡＣ−ＤＣ変換するトランス２８の端子２８Ｂとが接続されている。また、ブリッジダイオード２０の陰極側端子２４には、平滑用の電解コンデンサ２７の陰極端子と、電源装置１０の基準電位となるシグナルグランド（ＳＧ）２９とが接続されている。
【００１５】
切替ＳＷ２５は、電解コンデンサ２６の陰極端子と、電解コンデンサ２７の陽極端子に接続されている切替部である。
なお、本実施の形態では、ヒューズ１２、コンデンサ１３、抵抗１４、コモンチョークコイル１５、コンデンサ１６、コンデンサ１７、サーミスタ１８、ブリッジダイオード２０、電解コンデンサ２６及び電解コンデンサ２７により、整流平滑部（整流平滑回路）が構成されている。整流平滑部は、入力された交流電圧を全波整流方式及び倍電圧整流方式の何れかの整流方式により整流して、平滑化することで直流電圧を出力する。整流平滑部は、少なくともブリッジダイオード２０、電解コンデンサ２６及び電解コンデンサ２７を備えていればよい。
【００１６】
トランス２８の端子２８Ａは、スイッチング素子であるＮ−ｃｈのＭＯＳＦＥＴ（Ｍｅｔａｌ−Ｏｘｉｄｅ−Ｓｅｍｉｃｏｎｄｕｃｔｏｒ  Ｆｉｅｌｄ−Ｅｆｆｅｃｔ  Ｔｒａｎｓｉｓｔｏｒ）３０のドレイン端子に接続されている。ＭＯＳＦＥＴ３０のソース端子は、ＭＯＳＦＥＴ３０に流れるドレイン電流を検出する抵抗３１と、ノイズ除去用のコンデンサ３４と、制御ＩＣ４０のＯＣＰ端子とに接続されている。
抵抗３１はＳＧ２９に接続されている。
ＭＯＳＦＥＴ３０のゲート端子は、抵抗３２と、抵抗３３とに接続されている。
抵抗３２は、ＳＧ２９に接続されている。
抵抗３３は、制御ＩＣ４０のＧａｔｅ端子に接続されている。
【００１７】
制御ＩＣ４０のＦＢ端子は、電源装置１０の出力電圧を検出するフォトカプラ３５の受光トランジスタ３５ａのコレクタ端子と、抵抗３６とに接続されている。
フォトカプラ３５の受光トランジスタ３５ａのエミッタ端子は、ＳＧ２９に接続されている。
抵抗３６は、コンデンサ３７に接続されている。
コンデンサ３７は、ＳＧ２９に接続されている。
【００１８】
ブラウン回路１００は、ブリッジダイオード２０、電解コンデンサ２６及び電解コンデンサ２７により整流及び平滑化された電位Ｖｃｃ、制御ＩＣ４０のＢＲ端子及びＳＧ２９に接続されている。
制御ＩＣ４０のＧＮＤ端子は、ＳＧ２９に接続されている。
電位Ｖｃｃは、過電圧を検出するツェナダイオード５０のカソード端子及び抵抗５１に接続されている。
【００１９】
ツェナダイオード５０のアノード端子は、抵抗５２に接続されている。
抵抗５２は、コンデンサ５３、抵抗５４及びＮＰＮトランジスタ５５のベース端子に接続されている。
コンデンサ５３、抵抗５４及びＮＰＮトランジスタ５５のエミッタ端子はＳＧ２９に接続されている。ＮＰＮトランジスタ５５のコレクタ端子は、抵抗５６を介して制御ＩＣ４０のＢＲ端子、抵抗５１、抵抗５７、コンデンサ５８及びツェナダイオード５９に接続されている。
【００２０】
トランス２８の端子２８Ｆは、ＳＧ２９に接続されている。
トランス２８の端子２８Ｅは、ダイオード６０のアノード端子に接続されている。
ダイオード６０のカソード端子は、電解コンデンサ６１及び制御ＩＣ４０のＶｃｃ端子に接続されている。
電解コンデンサ６１は、ＳＧ２９に接続されている。
【００２１】
トランス２８の端子２８Ｄは、フレームグランド（ＦＧ）６２に接続されている。
ＦＧ６２は、電源装置１０が使用される筐体を介してＦＧ１９に接続されている。また、ＦＧ６２は、橋絡コンデンサ６３を介して、ＳＧ２９に接続されている。
トランス２８の端子２８Ｃは、ダイオード６４のアノードに接続されている。
ダイオード６４のカソードは、平滑用の電解コンデンサ６５、抵抗６６、抵抗６７及びノイズ除去用のコイル６８に接続されている。
【００２２】
電解コンデンサ６５は、ＦＧ６２に接続されている。
抵抗６６は、フォトカプラ３５の発光ダイオード３５ｂのアノード端子に接続されている。
フォトカプラ３５の発光ダイオード３５ｂのカソード端子は、シャントレギュレータ６９のカソード端子及びコンデンサ７０に接続されている。
【００２３】
シャントレギュレータ６９のアノード端子は、ＦＧ６２に接続されている。
シャントレギュレータ６９のＲＥＦ端子は、抵抗７１、抵抗６７及び抵抗７２に接続されている。
抵抗７２は、ＦＧ６２に接続されている。
抵抗７１はコンデンサ７０に接続されている。
コイル６８の先は電解コンデンサ７３及び電源装置１０の出力である電位Ｖｄｄに接続されている。電解コンデンサ７３は、ＦＧ６２に接続されている。
【００２４】
ブラウン回路１００は、ブラウンアウト切替回路１１０及びブラウンアウト切替解除回路１３０を備えている。
ブラウンアウト切替回路１１０は、ブラウンアウト電圧を切り替える変換切替部である。
ブラウンアウト切替解除回路１３０は、ブラウンアウト切替回路１１０の動作を無効にする切替解除部である。
【００２５】
図２は、本実施の形態に係るブラウン回路１００の構成図である。
まず、図２を参照して、ブラウンアウト切替回路１１０の構成を説明する。
整流及び平滑化された電位Ｖｃｃは、ツェナダイオード８０のカソード端子、抵抗８１及び抵抗８２に接続されている。
ツェナダイオード８０のアノード端子は、抵抗８３に接続されている。
抵抗８３は、コンデンサ８４、抵抗８５、ＰＮＰトランジスタ８６のコレクタ端子及びＮＰＮトランジスタ８７のベース端子に接続されている。
【００２６】
コンデンサ８４、抵抗８５及びＮＰＮトランジスタ８７のエミッタ端子は、ＳＧ２９に接続されている。
抵抗８１は、抵抗８８、コンデンサ８９及びＰＮＰトランジスタ８６のエミッタ端子に接続されている。
ＰＮＰトランジスタ８６のベース端子は、コンデンサ８９、抵抗８８及びＮＰＮトランジスタ８７のコレクタ端子に接続されている。
抵抗８８、コンデンサ８９、ＰＮＰトランジスタ８６、ＮＰＮトランジスタ８７及び抵抗８５は、ラッチ回路を形成している。
【００２７】
ＮＰＮトランジスタ８７のコレクタ端子は、抵抗９０を介して、ＭＯＳＦＥＴ（Ｐ−ｃｈ）９１のゲート端子に接続されている。
ＭＯＳＦＥＴ９１のソース端子は、抵抗８２に接続されている。
ＭＯＳＦＥＴ９１のドレイン端子は、制御ＩＣ４０のＢＲ端子に接続されている。
【００２８】
次に、図２を参照して、ブラウンアウト切替解除回路１３０の構成について説明する。
電位Ｖｃｃは、ツェナダイオード５０から抵抗５２及びコンデンサ５３を経由して、抵抗９２及びＮＰＮトランジスタ９３のベース端子に接続されている。
抵抗９２及びＮＰＮトランジスタ９３のエミッタ端子は、ＳＧ２９に接続されている。
ＮＰＮトランジスタ９３のコレクタ端子は、ブラウンアウト切替回路１１０のＮＰＮトランジスタ８７のベース端子に接続されている。
【００２９】
次に、実施の形態の動作について説明する。
まず、図１を用いて、電源装置１０の動作を説明する。
電源装置１０は、交流電源１１から実効電圧値（Ｖａｃ）の電圧が入力される。ユーザは、Ｖａｃに基づいて、切替ＳＷ２５を開放状態又は短絡状態に切り替える。ＶａｃがＡＣ９０Ｖ〜ＡＣ１４０Ｖの場合、ユーザは、切替ＳＷ２５を短絡状態にする。一方、ＶａｃがＡＣ１９８Ｖ〜ＡＣ２６４Ｖの場合、ユーザは、切替ＳＷ２５を開放状態にする。ここでは、始めにＶａｃの交流電圧が入力されてからＶｃｃが生成されるまでの動作について説明する。
【００３０】
最初に、切替ＳＷ２５が開放状態の場合について説明する。交流電源１１から交流電圧が入力され、ライン側ＬＳの電位がアースに対して高い場合、ヒューズ１２、コモンチョークコイル１５及びサーミスタ１８を介して、ブリッジダイオード２０に電流が流れる。さらに、電流は、ブリッジダイオード２０の陽極側端子２３から、電解コンデンサ２６、電解コンデンサ２７、ブリッジダイオード２０の陰極側端子２４、ブリッジダイオード２０の第２の端子２２及びコモンチョークコイル１５のニュートラル側ＮＳを経由して、交流電源１１に流れる。
【００３１】
次に、ライン側ＬＳの電位がアースに対して低い場合、交流電源１１からコモンチョークコイル１５のニュートラル側ＮＳ、ブリッジダイオード２０の第２の端子２２、ブリッジダイオード２０の陽極側端子２３、電解コンデンサ２６、電解コンデンサ２７、ブリッジダイオード２０の陰極側端子２４、ブリッジダイオード２０の第１の端子２１、サーミスタ１８及びコモンチョークコイル１５のライン側ＬＳを経由して、交流電源１１に電流が流れる。
【００３２】
サーミスタ１８は、電解コンデンサ２６及び電解コンデンサ２７に流れる突入電流を防止する。サーミスタ１８は、自己発熱によりインピーダンスが低下する特性をもっており、コンデンサ１３、抵抗１４、コンデンサ１６及びコンデンサ１７にも同様に電流が流れ、コモンモード及びノーマルモードのノイズを抑制する。
【００３３】
これを繰り返すことにより、ブリッジダイオード２０、電解コンデンサ２６及び電解コンデンサ２７により、交流電圧が整流及び平滑化され、√２Ｖａｃの電位Ｖｃｃを得ることができる。
抵抗１４は、交流電源１１の電圧が遮断された時にコンデンサ１３に充電された電荷を放電する。
【００３４】
次に、切替ＳＷ２５が短絡状態の場合について説明する。
交流電源１１の電圧Ｖａｃが入力され、ライン側ＬＳの電位がアースに対して高い場合、ヒューズ１２、コモンチョークコイル１５及びサーミスタ１８を介して、ブリッジダイオード２０に電流が流れる。さらに、電流は、ブリッジダイオード２０の陽極側端子２３から電解コンデンサ２６、切替ＳＷ２５及びコモンチョークコイル１５のニュートラル側ＮＳを経由して、交流電源１１に流れる。
【００３５】
次に、ライン側ＬＳの電位がアースに対して低い場合、交流電源１１からコモンチョークコイル１５のニュートラル側ＮＳ、切替ＳＷ２５、電解コンデンサ２７、ブリッジダイオード２０の陰極側端子２４、ブリッジダイオード２０の第１の端子２１、サーミスタ１８及びコモンチョークコイル１５のライン側ＬＳを経由して、交流電源１１に電流が流れる。
【００３６】
サーミスタ１８は、電解コンデンサ２６及び電解コンデンサ２７に流れる突入電流を防止する。サーミスタ１８は、自己発熱によりインピーダンスが低下する特性をもっており、コンデンサ１３、抵抗１４、コンデンサ１６及びコンデンサ１７にも同様に電流が流れ、コモンモード及びノーマルモードのノイズを抑制する。
【００３７】
これを繰り返すことにより、ブリッジダイオード２０、電解コンデンサ２６及び電解コンデンサ２７により、交流電圧が整流及び平滑化され、２√２Ｖａｃの電位Ｖｃｃを得ることができる。
抵抗１４は、交流電源１１の電圧が遮断された時にコンデンサ１３に充電された電荷を放電する。
【００３８】
このように電位Ｖｃｃにおいて、切替ＳＷ２５が開放の場合には、√２Ｖａｃの電圧が、切替ＳＷ２５が短絡の場合には、２√２Ｖａｃの電圧が生成される。交流電源１１の電圧がＡＣ１００Ｖの場合には、切替ＳＷ２５を短絡し、交流電源１１の電圧がＡＣ２００Ｖの場合には、切替ＳＷ２５を開放することにより、どちらも電位Ｖｃｃが、ＤＣ２００√２Ｖとなる。この結果、それ以降の回路を共通にすることができ、１つの電源装置１０で両方の電圧の交流電源１１を利用することができる。
【００３９】
次に、図３に示されている比較例としてのブラウン回路２００が、図１のブラウン回路１００の代わりに用いられた場合の電源装置１０の動作について説明する。
比較例としてのブラウン回路２００は、図２に示されているブラウン回路１００から、ブラウンアウト切替回路１１０及びブラウンアウト切替解除回路１３０を取り除いたものである。
【００４０】
制御ＩＣ４０のＢＲ端子には、Ｖｃｃの電位を抵抗５１と抵抗５７とで分圧された電圧値が入力される。
コンデンサ５８は、制御ＩＣ４０のＢＲ端子のノイズ除去用である。
ツェナダイオード５９は、ＢＲ端子の電圧の上昇を抑制する保護素子である。
【００４１】
制御ＩＣ４０は、ブラウン機能を有している。
ブラウン機能は、２つの機能を有する。
１つ目の機能は、ブラウンイン機能である。ブラウンイン機能は、ＢＲ端子の電圧がブラウンイン電圧閾値（第１の分圧電圧閾値）以上となった場合に、Ｇａｔｅ端子からパルス電圧を出力し、スイッチング動作を開始する機能である。
【００４２】
２つ目の機能は、ブラウンアウト機能である。ブラウンアウト機能は、ＢＲ端子の電圧がブラウンアウト電圧閾値（第２の分圧電圧閾値）より低下した場合に、Ｇａｔｅ端子からのパルス電圧の供給を停止し、スイッチング動作を停止する機能である。
【００４３】
制御ＩＣ４０では、１つのＢＲ端子でブラウンイン機能とブラウンアウト機能とを兼ねている。ここでは、ブラウンイン電圧閾値を５．６Ｖ、ブラウンアウト電圧閾値を４．８Ｖ、及び、ツェナダイオード５９の降伏電圧を６．２Ｖとして説明する。
ブラウンイン電圧閾値とブラウンアウト電圧閾値とは、ヒステリシスを持っている。
【００４４】
Ｖｃｃの電位により、制御ＩＣ４０のＢＲ端子の電圧がブラウンイン電圧閾値（５．６Ｖ）以上となった場合、図１に示されているように、制御ＩＣ４０のＧａｔｅ端子からパルス電圧（矩形）が出力される。抵抗３２と抵抗３３とにより分圧された電圧が、ＭＯＳＦＥＴ３０のゲート端子に入力される。
その分圧電圧がＭＯＳＦＥＴ３０のゲート電圧閾値以上になると、Ｖｃｃからトランス２８の端子２８Ｂ及び端子２８Ａ間、ＭＯＳＦＥＴ３０、並びに、抵抗３１を経由して、ＳＧ２９にドレイン電流が流れる。
その分圧電圧がＭＯＳＦＥＴ３０のゲート電圧閾値より低下すると、ドレイン電流が停止する。
【００４５】
ドレイン電流が流れると、抵抗３１の両端に電位が発生する。その電位は、コンデンサ３４によりノイズが除去され、制御ＩＣ４０のＯＣＰ端子に入力される。
制御ＩＣ４０は、ドレイン電流を検出することが可能となり、ドレイン過電流によりＭＯＳＦＥＴ３０の破損を防止するため、制御ＩＣ４０のＧａｔｅ出力電圧のＯＮ  Ｄｕｔｙを制御している。
【００４６】
ドレイン電流が流れている状態から、ドレイン電流が停止すると、トランス２８の端子２８Ａ及び端子２８Ｂ間に逆起電力が発生する。
トランス２８の端子２８Ａ及び端子２８Ｂ間と、端子２８Ｃ及び端子２８Ｄ間の巻数比によりトランス２８の端子２８Ｃ及び端子２８Ｄ間に電位が生成される。その電圧は、ダイオード６４により整流され、電解コンデンサ６５により平滑化される。更にコイル６８及び電解コンデンサ７３によりリップル及びリップルノイズ電圧が除去され、電位Ｖｄｄが生成される。
【００４７】
また、トランス２８の端子２８Ｃ及び端子２８Ｄ間と、端子２８Ｅ及び端子２８Ｆ間との巻数比により、トランス２８の端子２８Ｅ及び端子２８Ｆ間に電位が発生する。ダイオード６０により整流され、電解コンデンサ６１により平滑化された電圧が、制御ＩＣ４０のＶｃｃ端子に供給される。
【００４８】
Ｖｃｃ端子は、制御ＩＣ４０の電源端子である。ここでは図示しないが、制御ＩＣ４０のＶｃｃ端子に電圧が供給されるまでの間、Ｖｃｃから制御ＩＣ４０に電源供給される方法が一般的である。
【００４９】
ダイオード６４と電解コンデンサ６５とにより整流平滑された電圧は、抵抗６７と抵抗７２とにより分圧され、その分圧電圧が、シャントレギュレータ６９のＲＥＦ端子に入力される。
シャントレギュレータ６９のＲＥＦ端子に入力された分圧電圧がシャントレギュレータ６９内部の基準電圧以上となった場合、シャントレギュレータ６９がオンし、抵抗６６、フォトカプラ３５の発光ダイオード３５ｂ及びシャントレギュレータ６９を経由して、ＦＧ６２に電流が流れ、フォトカプラ３５の発光ダイオード３５ｂが点灯する。
また、シャントレギュレータ６９のＲＥＦ端子に入力される分圧電圧がシャントレギュレータ６９内部の基準電圧より低下した場合、シャントレギュレータ６９がオフする。この場合、電流が流れないため、フォトカプラ３５の発光ダイオード３５ｂが消灯する。コンデンサ７０と抵抗７１とは、位相補正用に用いられている。
【００５０】
制御ＩＣ４０のＦＢ端子の内部に定電流源が内蔵されており、抵抗３６を経由してコンデンサ３７に電流が流れる。定電流源の電流値と、抵抗３６及びコンデンサ３７の値とに基づき、制御ＩＣ４０のＦＢ端子の電圧が上昇する。
フォトカプラ３５の発光ダイオード３５ｂが点灯すると、受光トランジスタ３５ａがオンし、制御ＩＣ４０のＦＢ端子の電圧が低下する。
逆に、フォトカプラ３５の発光ダイオード３５ｂが消灯すると、受光トランジスタ３５ａがオフし、制御ＩＣ４０のＦＢ端子の電圧が上昇する。
【００５１】
制御ＩＣ４０では、ＦＢ端子の電圧に基づき、制御ＩＣ４０のＧａｔｅ端子の出力が制御される。この動作を繰り返しながら、電源装置１０の出力値であるＶｄｄの電圧が一定電圧となるようにＦＢ制御が行われている。
即ち、制御ＩＣ４０は、駆動部としてのトランスの動作を決定する判定部として機能する。
【００５２】
次に、図２に示されているブラウン回路１００が用いられた場合の動作について説明する。図２に示されているブラウン回路１００では、図３に示されているブラウン回路２００に対して、ブラウンアウト切替回路１１０とブラウンアウト切替解除回路１３０とが追加されている。図２に示されているブラウン回路１００のブラウンアウト切替回路１１０及びブラウンアウト切替解除回路１３０以外の部分の動作は、図３に示されているブラウン回路２００と同様である。
【００５３】
ここでは、まず、ブラウンアウト切替回路１１０の動作について説明する。
ツェナダイオード８０の降伏電圧（第１の電圧閾値）よりＶｃｃの電圧が上昇すると、抵抗８３を介してコンデンサ８４及び抵抗８５に電流が流れ、ＮＰＮトランジスタ８７にもベース電流が流れる。また、Ｖｃｃからコンデンサ８９、抵抗８１及び抵抗８８を介してＮＰＮトランジスタ８７にコレクタ電流が流れる。ＰＮＰトランジスタ８６のベース−エミッタ間に抵抗８８による電圧差が発生するため、抵抗８１を介してＰＮＰトランジスタ８６にコレクタ電流が流れ、その電流は、抵抗８５及びＮＰＮトランジスタ８７のベース端子に流れる。
なお、ツェナダイオード８０の降伏電圧は、例えば、ＤＣ１９８Ｖ以上ＤＣ２５５Ｖ以下であることが望ましい。
【００５４】
ツェナダイオード８０の降伏電圧よりＶｃｃの電圧が低下し、ツェナダイオード８０を経由したＮＰＮトランジスタ８７のベース電流が流れなくなった場合でも、ＰＮＰトランジスタ８６のコレクタ電流がＮＰＮトランジスタ８７のベースに流れ続ける。この回路は、ラッチ機能を有している。
【００５５】
ＮＰＮトランジスタ８７にコレクタ電流が流れている場合、ＭＯＳＦＥＴ９１のゲート−ソース間に抵抗８１、抵抗８８及び抵抗９０による電圧差が発生するため、ＭＯＳＦＥＴ９１は、ドレイン電流がＶｃｃから抵抗８２を介して流れる。この結果、制御ＩＣ４０のＢＲ端子の電圧（ＶＢＲ）は、抵抗５１及び抵抗５７による分圧電圧から抵抗５１、抵抗５７及び抵抗８２による分圧電圧に切り替わり、ＢＲ端子の電圧（ＶＢＲ）は上昇する。これにより、ブラウンアウト機能が動作するＶｃｃの電圧が低下する。
【００５６】
次に、ブラウンアウト切替解除回路１３０の動作について説明する。
ツェナダイオード５０の降伏電圧（第２の電圧閾値）よりＶｃｃの電圧が上昇すると、ＮＰＮトランジスタ５５だけでなく、ＮＰＮトランジスタ９３のベース端子及び抵抗９２にも電流が流れる。ここで、ツェナダイオード５０の降伏電圧は、ツェナダイオード８０の降伏電圧よりも値が大きいものとする。従って、ブラウンアウト切替解除回路１３０よりも、ブラウンアウト切替回路１１０の方が先に動作する。
ここで、ツェナダイオード５０の降伏電圧は、ＤＣ３９６Ｖ以上ＤＣ５５９Ｖ未満であることが望ましい。
【００５７】
ＮＰＮトランジスタ９３のベース電流が流れ始める時、既にＮＰＮトランジスタ８７にベース電流が流れている。ＮＰＮトランジスタ９３のコレクタ電流が流れると、ＰＮＰトランジスタ８６のコレクタ電流がＮＰＮトランジスタ９３に流れる。これにより、ＮＰＮトランジスタ８７のベース端子の電圧は、エミッタ電圧と同電位となる。ＮＰＮトランジスタ８７のコレクタ電流が遮断され、抵抗８１及び抵抗８８にも電流が流れない。ＰＮＰトランジスタ８６のベース−エミッタ間が同電位となり、ＰＮＰトランジスタ８６のコレクタ電流が遮断される。これにより、ラッチ機能が解除される。
【００５８】
ＭＯＳＦＥＴ９１のゲート−ソース間が同電位となり、ドレイン電流が遮断される。この結果、制御ＩＣ４０のＢＲ端子の電圧（ＶＢＲ）は、抵抗５１、抵抗５７及び抵抗８２による分圧電圧から、抵抗５６、抵抗５１及び抵抗５７による分圧電圧に切り替わり、ＢＲ端子の電圧（ＶＢＲ）は低下する。これにより、ブラウンアウト機能が動作するＶｃｃの電圧が上昇する。
【００５９】
なお、抵抗５１及び抵抗５７は、整流平滑部からの直流電圧を分圧する電圧変換部として機能する。なお、抵抗８２及び抵抗５６も、整流平滑部からの直流電圧を分圧する場合には、電圧変換部に含まれる。
また、抵抗５１及び抵抗５７により分圧された分圧電圧を、第１の分圧電圧ともいい、抵抗５１、抵抗５７及び抵抗８２により分圧された分圧電圧を、第２の分圧電圧ともいい、抵抗５１、抵抗５６及び抵抗５７により分圧された分圧電圧を、第３の分圧電圧ともいう。
さらに、抵抗８２を第１の抵抗ともいい、抵抗５６を第２の抵抗ともいう。
【００６０】
比較例としての電源装置と、本実施の形態におけるブラウン回路１００を備える電源装置１０との動作の違いについて図４〜図８に示されているタイムチャートを用いて説明する。
なお、図４〜図８において、ＯＶＰは、ツェナダイオード５０の降伏電圧である。また、ＢＲ  ＩＮ＃は、ブラウンイン電圧閾値に対応するＶｃｃの電位であり、ＢＲ  ＯＵＴ＃は、ブラウンアウト電圧閾値に対応するＶｃｃ電位である。
【００６１】
図４は、比較例としてのブラウン回路１００を備える電源装置における動作を示すタイムチャートである。
図４は、切替ＳＷ２５が開放状態、且つ、交流電源１１にＡＣ１００Ｖが入力された誤った設定の場合の動作である。
比較例としてのブラウン回路１００を備える電源装置は、図１に示されている電源装置１０のブラウン回路１００の代わりにブラウン回路２００が備えられたものである。
【００６２】
時間ｔ００において、交流電源１１からＡＣ１００Ｖが入力される。整流平滑回路により、Ｖｃｃの電位が徐々に上昇する。制御ＩＣ４０のＢＲ端子の電圧（ＶＢＲ）も同様に上昇する。
時間ｔ０１において、Ｖｃｃの電位が最大値となる。この時、ＢＲ端子の電圧（ＶＢＲ）は、ブラウンイン電圧閾値（ＢＲ  ＩＮ＝５．６Ｖ）以上となっていないため、スイッチング動作は開始されない。
【００６３】
時間ｔ０２において、交流電源１１の電圧供給が停止される。Ｖｃｃの電位が徐々に低下する。制御ＩＣ４０のＢＲ端子の電圧（ＶＢＲ）も同様に低下する。
時間ｔ０３において、Ｖｃｃの電位が０Ｖとなる。制御ＩＣ４０のＢＲ端子の電圧（ＶＢＲ）も同様に０Ｖとなる。
【００６４】
図４に示されているように、切替ＳＷ２５の設定が誤っていても、電源装置が動作できず、安全である。これは抵抗５１及び抵抗５７によりブラウンイン機能が動作するＶｃｃの電位が上昇されていることにより成り立っている。
【００６５】
図５は、比較例としてのブラウン回路２００を備える電源装置における動作を示すタイムチャートである。
図５は、切替ＳＷ２５が短絡状態、且つ、交流電源１１にＡＣ２００Ｖが入力された誤った設定の場合の動作である。
【００６６】
時間ｔ１０において、交流電源１１からＡＣ２００Ｖが入力される。整流平滑回路により、Ｖｃｃの電位が徐々に上昇する。制御ＩＣ４０のＢＲ端子の電圧（ＶＢＲ）も同様に上昇する。
時間ｔ１１において、ＢＲ端子の電圧（ＶＢＲ）がブラウンイン電圧閾値（ＢＲ  ＩＮ＝５．６Ｖ）以上となったため、スイッチング動作が開始される。Ｖｃｃの電位が上昇し続けると、ＢＲ端子の電圧（ＶＢＲ）は、ツェナダイオード５９により、ＺＣ＝６．２Ｖにクランプされる。
【００６７】
時間ｔ１２において、Ｖｃｃの電位がツェナダイオード５０の降伏電圧（ＯＶＰ）以上となると、ＮＰＮトランジスタ５５にベース電流が流れ、抵抗５６、抵抗５１及び抵抗５７によりＶｃｃの電位が分圧される。この結果、ＢＲ端子の電圧（ＶＢＲ）が低下し、ブラウンアウト電圧閾値（ＢＲ  ＯＵＴ＝４．８Ｖ）を下回ったため、スイッチング動作が停止される。
時間ｔ１３において、Ｖｃｃの電位が最大値となる。スイッチング動作は停止されたままである。
時間ｔ１４において、交流電源１１の電圧供給が停止される。Ｖｃｃの電位が徐々に低下する。スイッチング動作は停止されたままである。
【００６８】
時間ｔ１５において、Ｖｃｃの電位がツェナダイオード５０の降伏電圧（ＯＶＰ）を下回った為、ＮＰＮトランジスタ５５のベース電流が遮断され、抵抗５１及び抵抗５７によりＶｃｃの電位が分圧される。この結果、ＢＲ端子の電圧（ＶＢＲ）が上昇し、ブラウンイン電圧閾値（ＢＲ  ＩＮ＝５．６Ｖ）以上となったため、スイッチング動作が開始される。
時間ｔ１６において、ＢＲ端子の電圧（ＶＢＲ）は、ブラウンアウト電圧閾値（ＢＲ  ＯＵＴ＝４．８Ｖ）を下回ったため、スイッチング動作が停止される。
【００６９】
図５に示されているように、切替ＳＷ２５の設定が誤っていても、電源装置に交流電源１１が入力されている状態では動作できず、安全である。
【００７０】
図６は、比較例としてのブラウン回路２００を備える電源装置における動作を示すタイムチャートである。
図６は、切替ＳＷ２５が短絡状態、且つ、交流電源１１にＡＣ１００Ｖが入力された正しい設定の場合の動作である。
【００７１】
時間ｔ２０において、交流電源１１からＡＣ１００Ｖが入力される。整流平滑回路により、Ｖｃｃの電位が徐々に上昇する。制御ＩＣ４０のＢＲ端子の電圧（ＶＢＲ）も同様に上昇する。
時間ｔ２１において、ＢＲ端子の電圧（ＶＢＲ）はブラウンイン電圧閾値（ＢＲ  ＩＮ＝５．６Ｖ）以上となったため、スイッチング動作が開始される。Ｖｃｃの電位が上昇し続けると、ＢＲ端子の電圧（ＶＢＲ）はツェナダイオード５９により、ＺＣ＝６．２Ｖにクランプされる。
【００７２】
時間ｔ２２において、Ｖｃｃの電位が最大値となる。
時間ｔ２３において、交流電源１１の電圧供給が停止される。Ｖｃｃの電位が徐々に低下する。制御ＩＣ４０のＢＲ端子の電圧（ＶＢＲ）も同様に低下する。
時間ｔ２４において、ＢＲ端子の電圧（ＶＢＲ）は、ブラウンアウト電圧閾値（ＢＲ  ＯＵＴ＝４．８Ｖ）を下回ったため、スイッチング動作が停止される。図３で説明したように、切替ＳＷ２５を誤って開放状態とし、ＡＣ１００Ｖが入力されたときに電源装置１０がスイッチング動作できないようにブラウンイン機能が動作するＶｃｃの電位が上昇されているためである。ブラウンイン機能が動作するＶｃｃの電位が上昇されると、同時にブラウンアウト機能が動作するＶｃｃの電位も上昇する。この結果、停電等のＡＣ入力オフが発生した場合、すぐにブラウンアウト機能が動作しやすくなり、電源装置１０が動作できる保持時間（ｔｄ１）が短くなる。
なお、電解コンデンサ２６及び電解コンデンサ２７の静電容量をアップさせた場合では、時間ｔ２５において、ＢＲ端子の電圧（ＶＢＲ）は、ブラウンアウト電圧閾値（ＢＲ  ＯＵＴ＝４．８Ｖ）を下回り、スイッチング動作が停止される。この結果、保持時間（ｔｄ２）を長くすることができる。
【００７３】
図７は、本実施の形態におけるブラウン回路１００を備える電源装置１０における動作を示すタイムチャートである。
図７は、切替ＳＷ２５が短絡状態、且つ、交流電源１１にＡＣ１００Ｖが入力された正しい設定の場合の動作である。
【００７４】
時間ｔ３０において、交流電源１１からＡＣ１００Ｖが入力される。整流平滑回路により、Ｖｃｃの電位が徐々に上昇する。制御ＩＣ４０のＢＲ端子の電圧（ＶＢＲ）も同様に上昇する。
時間ｔ３１において、ＢＲ端子の電圧（ＶＢＲ）は、ブラウンイン電圧閾値（ＢＲ  ＩＮ＝５．６Ｖ）以上となったため、スイッチング動作が開始される。Ｖｃｃの電位が上昇し続けると、ＢＲ端子の電圧（ＶＢＲ）は、ツェナダイオード５９により、ＺＣ＝６．２Ｖにクランプされる。
【００７５】
時間ｔ３２において、Ｖｃｃの電位がツェナダイオード８０の降伏電圧以上となったため、ブラウンアウト切替回路１１０が動作する。この結果、ＢＲ端子の電圧（ＶＢＲ）が上昇し、ブラウンアウト機能が動作するＶｃｃの電位が低下する。
時間ｔ３３において、Ｖｃｃの電位が最大値となる。
【００７６】
時間ｔ３４において、交流電源１１の電圧供給が停止される。Ｖｃｃの電位が徐々に低下する。
時間ｔ３５において、ＢＲ端子の電圧（ＶＢＲ）は、ブラウンアウト電圧閾値（ＢＲ  ＯＵＴ＝４．８Ｖ）を下回ったため、スイッチング動作が停止される。ここでは、ブラウンアウト切替回路１１０におけるラッチ回路が動作し続けているため、ブラウンアウト機能が動作するＶｃｃの電位が低下している。この結果、電解コンデンサ２６及び電解コンデンサ２７の静電容量をアップすることなく、保持時間（ｔｄ３）を長くすることができる。
時間ｔ３６において、ブラウンアウト切替回路１１０の動作を停止する。これはＮＰＮトランジスタ８７のベース電流不足により、ラッチ機能が停止したためである。
【００７７】
図８は、本実施の形態におけるブラウン回路１００を備える電源装置１０における動作を示すタイムチャートである。
図８は、切替ＳＷ２５が短絡状態、且つ、交流電源１１にＡＣ２００Ｖが入力された誤った設定の場合の動作である。
本実施の形態におけるブラウン回路２００を備える電源装置は、図２に示されている電源装置１０のブラウン回路１００の代わりにブラウン回路２００が備えられたものである。
【００７８】
時間ｔ４０において、交流電源１１にＡＣ１００Ｖが入力される。整流平滑回路により、Ｖｃｃの電位が徐々に上昇する。制御ＩＣ４０のＢＲ端子の電圧（ＶＢＲ）も同様に上昇する。
時間ｔ４１において、ＢＲ端子の電圧（ＶＢＲ）は、ブラウンイン電圧閾値（ＢＲ  ＩＮ＝５．６Ｖ）以上となったため、スイッチング動作が開始される。Ｖｃｃの電位が上昇し続けると、ＢＲ端子の電圧（ＶＢＲ）はツェナダイオード５９により、ＺＣ＝６．２Ｖにクランプされる。
【００７９】
時間ｔ４２において、Ｖｃｃの電位がツェナダイオード８０の降伏電圧以上となったため、ブラウンアウト切替回路１１０が動作する。この結果、ＢＲ端子の電圧（ＶＢＲ）が上昇し、ブラウンアウト機能が動作するＶｃｃの電位が低下する。
時間ｔ４３において、Ｖｃｃの電位がツェナダイオード５０の降伏電圧（ＯＶＰ）以上となったため、ＮＰＮトランジスタ５５及びブラウンアウト切替解除回路１３０のＮＰＮトランジスタ９３の両方にベース電流が流れる。ブラウンアウト切替回路１１０のＮＰＮトランジスタ８７のベース電流が遮断され、ラッチ回路が停止する。ＢＲ端子の電圧（ＶＢＲ）は、抵抗５６、抵抗５１及び抵抗５７によりＶｃｃの電位が分圧される。この結果、ＢＲ端子の電圧（ＶＢＲ）が低下し、ブラウンアウト電圧閾値（ＢＲ  ＯＵＴ＝４．８Ｖ）を下回ったため、スイッチング動作が停止される。
【００８０】
時間ｔ４４において、Ｖｃｃの電位が最大値となる。ここでは、スイッチング動作は停止されたままである。
時間ｔ４５において、交流電源１１の電圧供給が停止される。Ｖｃｃの電位が徐々に低下する。ここでも、スイッチング動作は停止されたままである。
時間ｔ４６において、Ｖｃｃの電位がツェナダイオード５０の降伏電圧（ＯＶＰ）を下回ったため、ＮＰＮトランジスタ５５及びブラウンアウト切替解除回路１３０のＮＰＮトランジスタ９３の両方のベース電流が遮断される。ブラウンアウト切替解除回路１３０の動作が停止し、ブラウンアウト切替回路１１０のＮＰＮトランジスタ８７に再度ベース電流が流れる。一方、ＮＰＮトランジスタ５５のコレクタ電流が流れない。ＢＲ端子の電圧（ＶＢＲ）は、抵抗５１、抵抗５７及び抵抗８２によりＶｃｃの電位が分圧される。この結果、ＢＲ端子の電圧（ＶＢＲ）が上昇し、ブラウンイン電圧閾値（ＢＲ  ＩＮ＝５．６Ｖ）以上となったため、スイッチング動作が開始される。
【００８１】
時間ｔ４７において、ＢＲ端子の電圧（ＶＢＲ）は、ブラウンアウト電圧閾値（ＢＲ  ＯＵＴ＝４．８Ｖ）を下回ったため、スイッチング動作が停止される。
時間ｔ４８において、ブラウンアウト切替回路１１０の動作が停止される。これは、ＮＰＮトランジスタ８７のベース電流不足により、ラッチ機能が停止したためである。
【００８２】
図８に示されているように、切替ＳＷ２５の設定を誤っていても、電源装置１０に交流電源１１が入力されている状態では動作できず、安全である。
前述したように、図６で説明した従来の電源装置１０では、電解コンデンサ２６及び２７の静電容量をアップする必要がある。特に電源装置１０の一次側の静電容量アップは耐圧も兼ねる必要があるため、サイズアップとなる。これは電源装置１０の基板面積アップに繁がる。
【００８３】
以上のように、本実施の形態によれば、使用する交流電源１１に対して切替ＳＷ２５の設定（短絡又は開放）を誤った場合でも、従来構成の電源装置と同様に安全停止することができるため、切替ＳＷ２５の設定ミスを防止できる。
電源装置１０にＡＣ１００Ｖを入力して使用する場合に、従来のように電解コンデンサの静電容量アップすることなく、停電時における瞬断時間を確保することができる。
【符号の説明】
【００８４】
１０  電源装置、  １１  交流電源、  ２０  ブリッジダイオード、  ２５  切替ＳＷ、  ２６，２７  電解コンデンサ、  ２８  トランス、  ４０  制御ＩＣ、  ５０，５９，８０  ツェナダイオード、  ５１，５６，５７，８２  抵抗、  １００  ブラウン回路、  １１０  ブラウンアウト切替回路、  １３０  ブラウンアウト切替解除回路。
【図１】
2019041430.tif 000003
【図２】
2019041430.tif 000004
【図３】
2019041430.tif 000005
【図４】
2019041430.tif 000006
【図５】
2019041430.tif 000007
【図６】
2019041430.tif 000008
【図７】
2019041430.tif 000009
【図８】
2019041430.tif 000010